(57)【要約】【課題】本発明は、発電機に容易にアクセスすることが可能な建設機械を提供することを課題とする。【解決手段】本発明に係る建設機械は、下部走行体と、上記下部走行体上に搭載される上部旋回体と、上記上部旋回体の側部に取り付けられ、前後方向に延びるキャットウォークと、上記上部旋回体に着脱可能に設けられ、上記キャットウォークの前端部から前方に延びる架台と、上記架台に着脱可能に配設される発電機と、上記発電機の制御盤とを備える。【選択図】図３
2020090349.tif 000002
【特許請求の範囲】
【請求項１】
下部走行体と、
上記下部走行体上に搭載される上部旋回体と、
上記上部旋回体の側部に取り付けられ、前後方向に延びるキャットウォークと、
上記上部旋回体に着脱可能に設けられ、上記キャットウォークの前端部から前方に延びる架台と、
上記架台に着脱可能に配設される発電機と、
上記発電機の制御盤と
を備える建設機械。
【請求項２】
上記架台が、上記キャットウォークの前端部から前方に連続する足場部と、この足場部の前方に形成され、上記発電機が載置される載置部と、上記足場部の側方に立設され、上記制御盤が取り付けられる取付フレームとを有する請求項１に記載の建設機械。
【請求項３】
上記キャットウォークが上記上部旋回体に着脱可能に構成されており、
上記発電機の幅が上記キャットウォークの幅よりも大きい請求項１又は請求項２に記載の建設機械。
【請求項４】
上記上部旋回体に取り付けられ、この上部旋回体の前部から前方に延出する支持アームと、
上記支持アームに接続され、この支持アームから側方に延び、上記架台を下方から支持する支持片と
をさらに備える請求項１、請求項２又は請求項３に記載の建設機械。
【発明の詳細な説明】
【技術分野】
【０００１】
本発明は、建設機械に関する。
【背景技術】
【０００２】
建設機械では、下部走行体上に搭載される上部旋回体に発電機が取り付けられる場合がある。発電機を備える建設機械として、例えば上部旋回体に揺動可能に配設されるブームを備え、このブームから吊り下げられる吊りロープにリフティングマグネットが取り付けられたものが挙げられる。この建設機械では、リフティングマグネットを励磁するために発電機が用いられる。
【０００３】
従来このような発電機としては、下部走行体の走行、上部旋回体の旋回、ブームの揺動等、建設機械の駆動に用いられるエンジンによって発電する比較的小さいサイズのものが用いられている。
【０００４】
比較的小さいサイズの発電機は、例えばブームを挟んで運転室の反対側に配置される（特開２０１２−６２１７８号公報参照）。また、この発電機の天面にはこの発電機の制御盤が配置される。この発電機及び制御盤は、上部旋回体の側部の前後方向に延びる建屋カバーに至る通路の足場として使用される。
【０００５】
また、従来の建設機械としては、エンジンから出力された動力が伝達しやすいよう、上部旋回体側部に設けられたデッキ上に配置されるエンジンの後方に発電機が設けられるものも提案されている（特開２０１０−２２８８８４号公報参照）。
【先行技術文献】
【特許文献】
【０００６】
【特許文献１】特開２０１２−６２１７８号公報
【特許文献２】特開２０１０−２２８８８４号公報
【発明の概要】
【発明が解決しようとする課題】
【０００７】
一方、今日では容量の大きい発電機を使用したいというニーズが高まっている。具体的には、独自のエンジンを搭載した比較的サイズの大きい発電機の使用ニーズが高まっている。また、このような独自のエンジンを搭載した発電機にあっては、作業開始前後等に頻繁にアクセスする必要があるため、建設機械に取り付けられた状態でアクセスが容易であることが求められている。
【０００８】
しかしながら、特許文献１に記載の建設機械は、発電機及び制御盤が建屋カバーへのステップ台として構成されており、発電機へのアクセスが容易ではない。また、この建設機械は、建屋カバーと前後方向に連続した位置に発電機が設けられている。しかしながら、建設機械は、輸送制限を満たすよう上部旋回体の幅が予め制限されているため、そもそも建屋カバーと前後方向に連続する位置には比較的大きいサイズの発電機を設置すること自体が許容されない場合がある。
【０００９】
また、特許文献２に記載の建設機械は、デッキ上に発電機が配置されている。しかしながら、上述の輸送制限のため、通常このデッキ上には他の各種部材を配置する必要があり、発電機の設置スペースを設け難い。また、仮に発電機の設置スペースを設けることが可能であったとしても、比較的大きいサイズの発電機を設置することは困難であり、またこの発電機へのアクセスは容易ではない。
【００１０】
上記不都合に鑑みて、本発明は、発電機に容易にアクセスすることが可能な建設機械を提供することを課題とする。
【課題を解決するための手段】
【００１１】
上記課題を解決するためになされた本発明に係る建設機械は、下部走行体と、上記下部走行体上に搭載される上部旋回体と、上記上部旋回体の側部に取り付けられ、前後方向に延びるキャットウォークと、上記上部旋回体に着脱可能に設けられ、上記キャットウォークの前端部から前方に延びる架台と、上記架台に着脱可能に配設される発電機と、上記発電機の制御盤とを備える。
【００１２】
当該建設機械は、キャットウォークの前端部から前方に延びる架台を備え、この架台に発電機が着脱可能に配設されるので、上記キャットウォークを介しての上記発電機へのアクセスが容易である。また、当該建設機械は、上記架台が上部旋回体に着脱可能に設けられるので、例えば当該建設機械の輸送時にはこの架台及び発電機を外しておくことが可能である。さらに、当該建設機械は、上記架台がキャットウォークの前端部の前方に配設されるので、架台の幅を容易に大きくすることができる。従って、当該建設機械は、比較的大きいサイズの発電機を容易に配設することができる。
【００１３】
上記架台が、上記キャットウォークの前端部から前方に連続する足場部と、この足場部の前方に形成され、上記発電機が載置される載置部と、上記足場部の側方に立設され、上記制御盤が取り付けられる取付フレームとを有するとよい。このように、上記架台が、上記キャットウォークの前端部から前方に連続する足場部と、この足場部の前方に形成され、上記発電機が載置される載置部と、上記足場部の側方に立設され、上記制御盤が取り付けられる取付フレームとを有することによって、作業者は上記足場部に立った状態で、上記発電機及び制御盤に容易にアクセスすることができる。
【００１４】
当該建設機械は、上記キャットウォークが上記上部旋回体に着脱可能に構成されており、上記発電機の幅が上記キャットウォークの幅よりも大きいとよい。このように、上記キャットウォークが上記上部旋回体に着脱可能に構成されていることで、上記上部旋回体の幅を輸送制限の幅まで大きくすることができる。また、上述のように、当該建設機械は、上記架台の幅を容易に大きくすることができるので、上記発電機の幅を架台の幅に合わせて容易に大きくすることができる。従って、上記発電機以外の部材を所望の位置に配置しつつ、容量の大きい発電機をアクセス容易な状態で容易に配設することができる。
【００１５】
当該建設機械は、上記上部旋回体に取り付けられ、この上部旋回体の前部から前方に延出する支持アームと、上記支持アームに接続され、この支持アームから側方に延び、上記架台を下方から支持する支持片とをさらに備えるとよい。このように、上記上部旋回体に取り付けられ、この上部旋回体の前部から前方に延出する支持アームと、上記支持アームに接続され、この支持アームから側方に延び、上記架台を下方から支持する支持片とをさらに備えることによって、上記支持アーム及び支持片によって上記架台を安定的に支持することができる。
【００１６】
なお、本発明において、「前」とは、通常の走行時（前進時）における前方を意味し、「後」とは、通常の走行時における後方を意味する。また、「側」とは、前後方向に対する左右方向を意味する。
【発明の効果】
【００１７】
本発明に係る建設機械は、発電機に容易にアクセスすることができる。
【図面の簡単な説明】
【００１８】
【図１】本発明の一実施形態に係る建設機械を示す模式図である。
【図２】図１の建設機械の前方斜め上から見た部分拡大斜視図である。
【図３】図１の建設機械の架台及び発電ユニットを示す部分拡大平面図である。
【発明を実施するための形態】
【００１９】
以下、適宜図面を参照しつつ、本発明の実施の形態を詳説する。
【００２０】
［建設機械］
図１〜図３の建設機械は、建設作業等を行う機械であり、より詳しくはクローラクレーンである。当該建設機械は、下部走行体１と、下部走行体１上に搭載される上部旋回体２と、上部旋回体２の側部に取り付けられ、前後方向に延びるキャットウォーク３と、上部旋回体２に着脱可能に設けられ、キャットウォーク３の前端部から前方に延びる架台４と、架台４に着脱可能に配設される発電機５ａと、発電機５ａの制御盤５ｂとを備える。発電機５ａ及び制御盤５ｂは、発電ユニット５を構成する。また、当該建設機械は、上部旋回体２の前部に揺動（起伏）可能に取り付けられるブーム６と、上部旋回体２上でブーム６とキャットウォーク３との間に配設されるガード７と、上部旋回体２上でブーム６を挟んでガード７と反対側の前方に設けられるキャブ８と、ブーム６の先端部から垂下され、下端にフック９が取り付けられる吊りロープ１０と、フック９に取り付けられ、発電機５ａから出力される電力が供給されるリフティングマグネット１１と、上部旋回体２に取り付けられ、架台４を支持する支持部１２とを備える。
【００２１】
下部走行体１は、自走可能に構成されており、走行装置として一対のクローラー１ａを有する。上部旋回体２は、下部走行体１上で水平回転可能な旋回フレーム２ａを有する。旋回フレーム２ａには、ブーム６、ガード７、キャブ８及び支持部１２が取り付けられている。ブーム６は、その基端部が旋回フレーム２ａの左右方向中央部に取り付けられる。ブーム６は、上記基端部を軸として起伏することで、吊りロープ１０を吊り下す水平位置を定める。ガード７は、エンジン等の部材を内部に収容する構造体であり、その内部空間がエンジンルームを構成している。キャブ８は、作業者が搭乗する運転室である。リフティングマグネット１１は、鋼材等を磁性吸着によって捕獲可能に構成されている。
【００２２】
（キャットウォーク）
キャットウォーク３は、上部旋回体２の側方で前後方向に延びる通路である。キャットウォーク３は、旋回フレーム２ａの側部に取り付けられ、旋回フレーム２ａの側縁よりも側方（左右方向外側）に突出する位置に配設される。
【００２３】
キャットウォーク３は、上部旋回体２に着脱可能に構成されており、より詳しくは旋回フレーム２ａに着脱可能に構成されている。キャットウォーク３は、例えばボルトの締め付けによって旋回フレーム２ａに固定される。当該建設機械は、輸送時の幅が輸送制限を満たす必要があるため、キャットウォーク３は輸送時には取り外される。つまり、当該建設機械において、キャットウォーク３は、輸送制限幅を超える位置に配設されるものである。
【００２４】
（架台）
架台４は、キャットウォーク３の前端部から前方に連続する足場部１３と、足場部１３の前方に形成され、発電機５ａが載置される載置部１４と、足場部１３の側方に立設され、制御盤５ｂが取り付けられる第１取付フレーム１５とを有する。また、架台４は、作業者がキャブ８内から後方を確認可能なミラー１６が取り付けられる第２取付フレーム１７を有する。第２取付フレーム１７は、例えば足場部１３及び／又は載置部１４の側方に立設される。
【００２５】
足場部１３は、キャットウォーク３から連続する平面視矩形状のアクセス用通路１３ａと、アクセス用通路１３ａから前方に連続する平面視矩形状のアクセススペース１３ｂとを有する。アクセス用通路１３ａは、例えばボルトの締め付けによって旋回フレーム２ａに固定される。アクセススペース１３ｂは、上部旋回体２の前端部よりも前方の空間を含む領域に設けられる。より詳しくは、アクセススペース１３ｂは、ガード７の前端部よりも前方の空間を含む領域に設けられる。
【００２６】
載置部１４は、上部旋回体２の前端部よりも前方の空間を含む領域に設けられ、より詳しくはガード７の前端部よりも前方の空間を含む領域に設けられる。具体的には、載置部１４は、アクセススペース１３ｂと略同一幅で、アクセススペース１３ｂから前方に連続して形成される。当該建設機械は、上部旋回体２の前端部よりも前方の空間を利用することで、アクセススペース１３ｂ及び載置部１４をキャットウォーク３の内側の側縁よりも内側に拡大し、キャットウォーク３の幅よりも大きい幅に形成することができる。これにより、当該建設機械は、ガード７の前方部分の領域を利用して載置部１４に幅の大きい発電機５ａを容易に配設することができる。
【００２７】
第１取付フレーム１５は、アクセススペース１３ｂの外側の側縁の側方に立設される。
【００２８】
当該建設機械は、アクセススペース１３ｂがキャットウォーク３から前方に連続した位置に形成されるので、キャットウォーク３を介してアクセススペース１３ｂに容易に移動することができる。当該建設機械は、架台４が、足場部１３、載置部１４及び第１取付フレーム１５を有することによって、作業者は足場部１３に立つことで、発電機５ａ及び制御盤５ｂに容易にアクセスすることができる。具体的には、当該建設機械は、平面視略矩形状のアクセススペース１３ｂの前方に発電機５ａが配設され、かつアクセススペース１３ｂの側方に制御盤５ｂが配設されるので、作業者はこのアクセススペース１３ｂ上で、発電機５ａ及び制御盤５ｂのいずれに対しても容易にアクセスすることができる。具体的には、当該建設機械によると、作業者は、アクセススペース１３ｂ上で、発電機５ａのエンジンや制御盤５ｂの操作、発電機５ａ及び制御盤５ｂのメンテナンス、上記エンジンへの給油等を容易に行うことができる。
【００２９】
（支持部）
支持部１２は、上部旋回体２に取り付けられ、上部旋回体２の前部から前方に延出する支持アーム１２ａと、支持アーム１２ａに接続され、支持アーム１２ａから側方に延び、架台４を下方から支持する支持片１２ｂとを有する。支持アーム１２ａは、例えばボルトの締め付けによって旋回フレーム２ａに固定される。また、支持片１２ｂは、例えばボルトの締め付けによって支持アーム１２ａに固定される。
【００３０】
当該建設機械は、アクセススペース１３ｂ及び載置部１４が旋回フレーム２ａの前端部よりも前方に突出するので、アクセススペース１３ｂ及び載置部１４を旋回フレーム２ａの側縁に直接に固定し難く、アクセススペース１３ｂ及び載置部１４の支持強度が不十分となるおそれがある。この点において、当該建設機械は、支持アーム１２ａ及び支持片１２ｂを有することで、架台４を安定的に支持することができる。これにより、架台４上で発電機５ａ及び制御盤５ｂを安定的に保持することができると共に、架台４上での作業がより安全となる。
【００３１】
（発電機）
発電機５ａは、例えばリフティングマグネット１１を励磁するために用いられる。発電機５ａは、例えばボルトの締め付けによって架台４に固定される。発電機５ａは、ガード７内に収容されたエンジン等の外部エンジンによって発電するよう構成されてもよいが、外部エンジンとは独立した独自のエンジンを搭載していることが好ましい。発電機５ａは、独自のエンジンを搭載することで容量を大きくすることができる。
【００３２】
発電機５ａが独自のエンジンを搭載する場合、この発電機５ａはサイズが大きくなり、例えば発電機５ａの幅はガード７の幅以上となる。この場合、発電機５ａはガード７内に収容することは困難であり、また建設機械の輸送制限の関係上、発電機５ａの幅に合わせてガード７の幅を大きくすることも難しい。また、発電機５ａが独自のエンジンを搭載している場合、作業者は作業の開始前後等に発電機５ａにアクセスすることを要するが、仮に発電機５ａがガード７内に収容されていると、発電機５ａへのアクセスが容易でなくなる。さらに、発電機５ａをガード７内に収容すると、必要な他の部材の配置スペースが不足するおそれや、発電機５ａの発熱、排気等によって不具合が生じるおそれがある。これに対し、当該建設機械は、発電機５ａが架台４に着脱可能に設けられるので、輸送制限を満たしつつ、アクセス容易性を高めることができる。
【００３３】
発電機５ａは、上述のように、キャットウォーク３の前端部から前方に延びる架台４に配設されている。発電機５ａは、ガード７の前端部よりも前方の空間を含む領域に配設されており、これにより、空間を空けてブーム６の基端部と近接する位置に配設されている。そのため、当該建設機械は、発電機５ａとリフティングマグネット１１と距離を比較的短くすることができる。これにより、発電機５ａ及びリフティングマグネット１１間の配線が容易となると共にこの配線を短くすることができる。
【００３４】
発電機５ａの幅はキャットウォーク３の幅よりも大きくてもよい。上述のように、当該建設機械は、キャットウォーク３が上部旋回体２に着脱可能に構成されていることで、上部旋回体２の幅を輸送制限の幅まで大きくすることができる。また、上述のように、当該建設機械は、ガード７の前端部よりも前方の空間を利用して載置部１４の幅を容易に大きくすることができるので、発電機５ａの幅を載置部１４の幅に合わせて大きくすることができる。その結果、当該建設機械は、発電機５ａ以外の部材を例えばガード７内等の所望の位置に配置しつつ、容量の大きい発電機５ａをアクセス容易な状態で容易に配設することができる。
【００３５】
（制御盤）
制御盤５ｂは、発電機５ａの交流出力を整流する整流器や、リフティングマグネット１１への電流の供給を制御するスイッチ等を有する。制御盤５ｂは、例えばボルトの締め付けによって第１取付フレーム１５に固定される。
【００３６】
＜利点＞
当該建設機械は、キャットウォーク３の前端部から前方に延びる架台４を備え、この架台４に発電機５ａが着脱可能に配設されるので、キャットウォーク３を介しての発電機５ａへのアクセスが容易である。また、当該建設機械は、架台４の幅を容易に大きくすることができるので、比較的大きいサイズの発電機５ａを容易に配設することができる。
【００３７】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００３８】
例えば、上記実施形態では当該建設機械がクローラクレーンである場合について説明した。しかしながら、当該建設機械は、クローラクレーン以外の建設作業用の機械として構成することも可能であり、例えば、ホイールクレーン、油圧ショベル、掘削機等であってもよい。
【００３９】
上記実施形態では、発電機がリフティングマグネットを励磁するために用いられる構成について説明した。しかしながら、上記発電機は、リフティングマグネット以外の機器に電力を供給するよう構成されてもよい。リフティングマグネット以外の機器としては、電機駆動を要する種々の機器が挙げられ、例えばコイルリフタ、電動バケット、電動バイブロハンマ等が挙げられる。また、当該建設機械は、これらの機器を備える場合でも、リフティングマグネットを備える場合と同様、これらの機器と発電機との距離を比較的短くし、配線の容易化及び短縮化を図ることができる。
【００４０】
上記架台の具体的構成は、上記実施形態の構成に限定されるものではない。例えば上記架台は、制御盤が取り付けられる取付フレームを有していなくてもよい。この場合、例えば上記制御盤はキャットウォークに取り付けられるよう構成されてもよい。また、上記架台は、必ずしもミラーを取り付けるための取付フレーム（第２取付フレーム）を有していなくてもよい。
【００４１】
当該建設機械は、輸送制限を満たす場合であれば、上記キャットウォークが上部旋回体に着脱不能に固定されてもよい。
【００４２】
上記発電機のサイズは特に限定されるものではない。上記発電機の幅は、必要な容量を満たす場合であれば、上記キャットウォークの幅及び／又は上記ガードの幅よりも小さくてもよい。
【００４３】
当該建設機械は、上記架台を十分安定的に保持することができる場合、必ずしも上記支持部を有しなくてもよい。
【産業上の利用可能性】
【００４４】
本発明に係る建設機械は、発電機に容易にアクセスすることが可能であるので、独自のエンジンが搭載された発電機を有する建設作業用の機械として適している。
【符号の説明】
【００４５】
１  下部走行体
１ａ  クローラー
２  上部旋回体
２ａ  旋回フレーム
３  キャットウォーク
４  架台
５  発電ユニット
５ａ  発電機
５ｂ  制御盤
６  ブーム
７  ガード
８  キャブ
９  フック
１０  吊りロープ
１１  リフティングマグネット
１２  支持部
１２ａ  支持アーム
１２ｂ  支持片
１３  足場部
１３ａ  アクセス用通路
１３ｂ  アクセススペース
１４  載置部
１５  第１取付フレーム
１６  ミラー
１７  第２取付フレーム
【図１】
2020090349.tif 000003
【図２】
2020090349.tif 000004
【図３】
2020090349.tif 000005